(57)【特許請求の範囲】
【請求項１】
カードコネクタベースおよび制限構造を備えた３-ｉｎ-２カードコネクタであって、
前記カードコネクタベースは、第１の領域および第２の領域を備え、第１のスプリングプレートグループは前記第１の領域に配置され、第２のスプリングプレートグループおよび第３のスプリングプレートグループは、前記第２の領域の異なる位置に配置され、
前記制限構造は、第１の制限部および第２の制限部を備え、前記第１の制限部は前記第１の領域内の第１のデータカードを制限するために使用され、前記第２の制限部は前記第２の領域内の第２のデータカードまたは第３のデータカードを制限するために使用され、
前記第１のスプリングプレートグループは、前記第１のデータカードが前記第１の領域内に制限されるとき、前記第１のデータカードのエッジコネクタに電気的に接続するように構成され、前記第２のスプリングプレートグループは、前記第２のデータカードが前記第２の領域内に制限されるとき、前記第２のデータカードのエッジコネクタに電気的に接続するように構成され、前記第３のスプリングプレートグループは、前記第３のデータカードが前記第２の領域内に制限されるとき、前記第３のデータカードのエッジコネクタに電気的に接続するように構成され、
前記カードコネクタベースは、前記制限構造が該カードコネクタベースに挿入されるかまたは該カードコネクタベースから取り外すことができるようにするための接続構造をさらに備え、
前記接続構造は、
前記制限構造の挿入および取り出し方向と平行である前記カードコネクタベースの２つの側面に別個に配置され、前記第１の領域および前記第２の領域内に位置する前記制限構造を保持する第１の締め付け部材および第２の締め付け部材と、
前記第２の締め付け部材に接続され、前記制限構造を前記カードコネクタベースから取出す取出し手段とを含み、
第１の締め付け部材および第２の締め付け部材は、それぞれ、２つの端部で支持されかつ前記制限構造を保持するように前記第１又は第２の領域内へ向って延在した突起部を有する可動部を含むことを特徴とする３-ｉｎ-２カードコネクタ。
【請求項２】
前記第１の制限部は第１の溝であって、前記第１の溝は前記第１のデータカードを保持するために使用され、前記第２の制限部は第２の溝であって、前記第２の溝は前記第２のデータカードまたは前記第３のデータカードを保持するために使用されることを特徴とする請求項１に記載の３-ｉｎ-２カードコネクタ。
【請求項３】
前記取り出し手段は、前記第２の締め付け部材の２つの端部に個別に接続される接続ロッドおよびカードプッシュ装置を備えたことを特徴とする請求項１又は２に記載の３-ｉｎ-２カードコネクタ。
【請求項４】
前記制限構造の２つの対向する側面は各々窪み部を含み、前記制限構造が前記カードコネクタベースに挿入されるとき、前記突起部は前記窪み部に入り、前記制限構造は前記カードコネクタベースに固定され、
前記接続ロッドは、前記カードプッシュ装置を制御し、前記接続ロッドが押された状態にあるとき、前記制限構造を前記カードコネクタベースから取り出すように前記カードプッシュ装置を制御するように構成されたことを特徴とする請求項３に記載の３-ｉｎ-２カードコネクタ。
【請求項５】
前記第１の領域および前記第２の領域は、前記制限構造の前記挿入および取り出し方向に関して前記カードコネクタベースの表面上で平行に分布されたことを特徴とする請求項１ないし４のいずれか１つに記載の３-ｉｎ-２カードコネクタ。
【請求項６】
前記第１の領域および前記第２の領域は、前記制限構造の前記挿入および取り出し方向に関して前記カードコネクタベースの表面上で相次いで分布されたことを特徴とする請求項１ないし４のいずれか１つに記載の３-ｉｎ-２カードコネクタ。
【請求項７】
当該３-ｉｎ-２カードコネクタは、カバーをさらに備え、
前記カバーは、前記カードコネクタベースに配置され、前記カバーは、前記カードコネクタベースの２つの側面に別個に固定して接続し、前記カバーおよび前記カードコネクタベースは、前記制限構造を収容するための空間を形成することを特徴とする請求項２ないし６のいずれか１つに記載の３-ｉｎ-２カードコネクタ。
【請求項８】
前記第１の領域は、前記第１のデータカードを保持するために使用され、
前記第２の領域は、前記第２のデータカードまたは前記第３のデータカードを保持するために使用され、
前記第１の制限部は第１のバッフルプレートであって、前記第１のバッフルプレートの２つの対向する端部はそれぞれ、前記第１の領域の２つの対向する側面に固定して接続し、前記第１のデータカードと同じ厚さの空間が前記第１のバッフルプレートと前記第１の領域との間に形成され、
前記第２の制限部は第２のバッフルプレートであって、前記第２のバッフルプレートの２つの対向する端部はそれぞれ、前記第２の領域の２つの対向する側面に固定して接続し、前記第３のデータカードまたは前記第２のデータカードと同じ厚さの空間が、前記第２のバッフルプレートと前記第２の領域との間に形成されたことを特徴とする請求項１に記載の３-ｉｎ-２カードコネクタ。
【請求項９】
前記第１のデータカードはナノＳＩＭカードであり、前記第２のデータカードはＴ−フラッシュ（ＴＦ）カードであり、および前記第３のデータカードはナノＳＩＭカードであることを特徴とする請求項１ないし８のいずれか１つに記載の３-ｉｎ-２カードコネクタ。
【請求項１０】
前記制限構造の一端部はハンドルに固定して接続し、該ハンドルはピンホールを含むことを特徴とする請求項１ないし９のいずれか１つに記載の３-ｉｎ-２カードコネクタ。
【請求項１１】
請求項１ないし１０のいずれか１つに記載の３-ｉｎ-２カードコネクタを備えたことを特徴とするモバイル端末。
【発明の詳細な説明】
【技術分野】
【０００１】
本発明は、信号カード接続技術の分野に関し、特に、３-ｉｎ-２カードコネクタおよび３-ｉｎ-２カードコネクタを含むモバイル端末に関する。
【背景技術】
【０００２】
今日では、通信ツールの継続的な開発に伴って、携帯電話の構造、スタイル、およびパフォーマンスは、ますます頻繁に更新されるようになっている。ユーザの多用途使用の要件を満たすために、２-ｉｎ-１カードコネクタが登場している。カードコネクタは、ナノ加入者識別モジュール（英語：Ｎａｎｏ  Ｓｕｂｓｃｒｉｂｅｒ  Ｉｄｅｎｔｉｔｙ  Ｍｏｄｕｌｅ、略称：Ｎａｎｏ  ＳＩＭ）カード（第４形態要素集積回路基板とも称される）およびＴ−フラッシュ（英語：Ｔ−ｆｌａｓｈ、略称：ＴＦ）カードに適合することができる、すなわちナノＳＩＭカードまたはＴＦカードは、カードコネクタを使用することによって挿入することができる。たとえば、図１は、従来技術における２-ｉｎ-１カードコネクタである。図１に示されるように、２-ｉｎ-１カードコネクタは、ベースおよびカードトレイを含む。ＴＦカードまたはナノＳＩＭカードは、カードトレイ上に設置され、カードトレイの側壁は、ＴＦカードまたはナノＳＩＭカードを制限する。次いで、カードトレイは、カードコネクタのベースに設置されて、ＴＦカードまたはナノＳＩＭカードの接触端子が接触端子に対応するスプリングプレートグループと密接に接続される。
【０００３】
しかし、カードコネクタがナノＳＩＭカードまたはＴＦカードに適合する場合、別の加入者識別モジュール（英語：Ｓｕｂｓｃｒｉｂｅｒ  Ｉｄｅｎｔｉｔｙ  Ｍｏｄｕｌｅ、略称：ＳＩＭ）カードが同時に挿入できないことが、図１に示される２-ｉｎ-１カードコネクタから理解できる。したがって、複数のタイプのカードが１つのカードコネクタに同時に設置できないので、ユーザの選択の自由が制限される。
【発明の概要】
【発明が解決しようとする課題】
【０００４】
本発明では、３-ｉｎ-２カードコネクタおよび３-ｉｎ-２カードコネクタを含む改善されたモバイル端末を提供する。
【課題を解決するための手段】
【０００５】
本発明の実施形態は、複数のタイプのカードが１つのカードコネクタに同時に設置できないという従来技術における問題を解決するため、およびユーザの選択の自由を増大するために、３-ｉｎ-２カードコネクタおよびカードコネクタを含むモバイル端末を提供する。
【０００６】
前述の目的を達成するため、本発明の実施形態において以下の技術的解決策が使用される。
【０００７】
第１の態様によれば、本発明の実施形態は、カードコネクタベースおよび制限構造を含む３-ｉｎ-２カードコネクタを提供し、
カードコネクタベースは、第１の領域および第２の領域を含み、第１のスプリングプレートグループは第１の領域に配置され、第２のスプリングプレートグループおよび第３のスプリングプレートグループは、第２の領域の異なる位置に別個に配置され、
制限構造は、第１の制限部および第２の制限部を含み、第１の制限部は第１の領域内の第１のデータカードを制限するために使用され、第２の制限部は第２の領域内の第２のデータカードまたは第３のデータカードを制限するために使用され、
第１のスプリングプレートグループは、第１のデータカードが第１の領域内に制限されるとき、第１のデータカードのエッジ（ｅｄｇｅ）コネクタに電気的に接続するように構成され、第２のスプリングプレートグループは、第２のデータカードが第２の領域内に制限されるとき、第２のデータカードのエッジコネクタに電気的に接続するように構成され、第３のスプリングプレートグループは、第３のデータカードが第２の領域内に制限されるとき、第３のデータカードのエッジコネクタに電気的に接続するように構成される。
【０００８】
第１の態様を参照すると、第１の態様の第１の可能な実施手法において、
第１の制限部は第１の溝（ｇｒｏｏｖｅ）であって、第１の溝は第１のデータカードと形状が一致し、第１のデータカードを保持するために使用され、第２の制限部は第２の溝であって、第２の溝は第２のデータカードと形状が一致し、第２のデータカードまたは第３のデータカードを保持するために使用される。
【０００９】
第１の態様の第１の可能な実施手法を参照すると、第１の態様の第２の可能な実施手法において、
３-ｉｎ-２カードコネクタは、接続構造をさらに含み、制限構造は、接続構造を使用することによってカードコネクタベースに挿入されるかまたはカードコネクタベースから取り外される。
【００１０】
第１の態様の第２の可能な実施手法を参照すると、第１の態様の第３の可能な実施手法において、接続構造は、第１の締め付け部材、第２の締め付け部材、ならびに第２の締め付け部材の２つの端部（ｅｎｄ）に個別に接続される接続ロッド（ｒｏｄ）およびカードプッシュ装置を含み、
第１の締め付け部材および第２の締め付け部材は、制限構造の挿入および取り出し方向と平行であるカードコネクタベースの２つの側面に別個に設置され、
第１の締め付け部材および第２の締め付け部材は各々突起部（ｐｒｏｔｒｕｓｉｏｎ  ｐａｒｔ）を含み、制限構造の２つの対向する側面は各々窪み部（ｄｅｐｒｅｓｓｅｄ  ｐａｒｔ）を含み、制限構造がカードコネクタベースに挿入されるとき、突起部は窪み部に入り、制限構造はカードコネクタベースに固定され、
接続ロッドは、カードプッシュ装置を制御し、接続ロッドが押された状態にあるとき、制限構造をカードコネクタベースから取り出すようにカードプッシュ装置を制御するように構成される。
【００１１】
第１の態様の第３の可能な実施手法に関して、第１の態様の第４の可能な実施手法において、
第１の領域および第２の領域は、制限構造の挿入および取り出し方向に関してカードコネクタベースの表面上で平行に分布される。
【００１２】
第１の態様の第３の可能な実施手法に関して、第１の態様の第５の可能な実施手法において、
第１の領域および第２の領域は、制限構造の挿入および取り出し方向に関してカードコネクタベースの表面上で相次いで分布される。
【００１３】
第１の態様の第１の可能な実施手法ないし第５の可能な実施手法のいずれか１つに関して、第１の態様の第６の可能な実施手法において、３-ｉｎ-２カードコネクタはカバーをさらに含み、
カバーは、カードコネクタベースに配置され、カバーは、カードコネクタベースの２つの側面に別個に固定して接続し、カバーおよびカードコネクタベースは、制限構造を収容するための空間を形成する。
【００１４】
第１の態様に関して、第１の態様の第７の可能な実施手法において、
第１の領域は、第１のデータカードと形状が一致し、
第２の領域は、第２のデータカードと形状が一致し、第２のデータカードまたは第３のデータカードを保持するために使用され、
第１の制限部は第１のバッフルプレートであって、第１のバッフルプレートの２つの対向する端部はそれぞれ、第１の領域の２つの対向する側面に固定して接続し、第１のデータカードと同じ厚さの空間が、第１のバッフルプレートと第１の領域との間に形成され、
第２の制限部は第２のバッフルプレートであって、第２のバッフルプレートの２つの対向する端部はそれぞれ、第２の領域の２つの対向する側面に固定して接続し、第３のデータカードまたは第２のデータカードと同じ厚さの空間が、第２のバッフルプレートと第２の領域との間に形成される。
【００１５】
第２の態様によれば、本発明の実施形態は、第１の態様ないし第１の態様の第７の可能な実施手法のいずれか１つによる３-ｉｎ-２カードコネクタを含むモバイル端末を提供する。
【００１６】
上記のことから、本発明の実施形態において、３-ｉｎ-２カードコネクタおよび３-ｉｎ-２カードコネクタを含むモバイル端末が提供されることが理解できる。３-ｉｎ-２カードコネクタは、カードコネクタベースおよび制限構造を含み、カードコネクタベースは、第１の領域および第２の領域を含み、第１のスプリングプレートグループは第１の領域に配置され、第２のスプリングプレートグループおよび第３のスプリングプレートグループは、第２の領域の異なる位置に別個に配置され、制限構造は、第１の制限部および第２の制限部を含み、第１の制限部は第１の領域内の第１のデータカードを制限するために使用され、第２の制限部は第２の領域内の第２のデータカードまたは第３のデータカードを制限するために使用され、第１のスプリングプレートグループは、第１のデータカードが第１の領域内に制限されるとき、第１のデータカードのエッジコネクタに電気的に接続するように構成され、第２のスプリングプレートグループは、第２のデータカードが第２の領域内に制限されるとき、第２のデータカードのエッジコネクタに電気的に接続するように構成され、第３のスプリングプレートグループは、第３のデータカードが第２の領域内に制限されるとき、第３のデータカードのエッジコネクタに電気的に接続するように構成される。このようにして、カードコネクタ内の情報カードの設置領域が拡張されて、第１のデータカードおよび第２のデータカード、または第１のデータカードおよび第３のデータカードが１つのカードコネクタに同時に設置されるようになり、複数のタイプのカードが１つのカードコネクタに同時に設置できないという従来技術における問題を回避して、ユーザの選択の自由を増大し、ユーザ経験（ｅｘｐｅｒｉｅｎｃｅ）を向上させる。
【図面の簡単な説明】
【００１７】
本発明の実施形態または従来技術における技術的解決策をさらに明確に説明するため、後段では、実施形態または従来技術を説明するために必要とされる添付の図面について簡単に述べる。明らかに、以下の説明において添付の図面は、本発明の一部の実施形態のみを示すものであり、当業者であれば、創造的な取り組みを伴うことなく、これらの添付の図面からその他の図面をさらに導き出してよい。
【図１】従来技術における２-ｉｎ-１カードコネクタを示す概略図である。
【図２】本発明の実施形態に従った、３-ｉｎ-２カードコネクタを示す構造図である。
【図３Ａ】本発明の実施形態に従った、３-ｉｎ-２カードコネクタによる第１のデータカードおよび第２のデータカードの保持を示す概略図である。
【図３Ｂ】本発明の実施形態に従った、３-ｉｎ-２カードコネクタによる第１のデータカードおよび第３のデータカードの保持を示す概略図である。
【図４Ａ】本発明の実施形態に従った、３-ｉｎ-２カードコネクタによる第１のデータカードおよび第２のデータカードの保持を示す概略図である。
【図４Ｂ】本発明の実施形態に従った、３-ｉｎ-２カードコネクタによる第１のデータカードおよび第３のデータカードの保持を示す概略図である。
【図５】本発明の実施形態に従った、３-ｉｎ-２カードコネクタを示す構造図である。
【図６】本発明の実施形態に従った、３-ｉｎ-２カードコネクタを示す構造図である。
【図７】本発明の実施形態に従った、モバイル端末を示す構造図である。
【図８】本発明の実施形態に従った、モバイル端末を示す構造図である。
【発明を実施するための形態】
【００１８】
後段では、本発明の実施形態における添付の図面を参照して、本発明の実施形態における技術的解決策を明確かつ完全に説明する。明らかに、説明される実施形態は、本発明の実施形態の一部に過ぎず、実施形態の全体を示すものではない。当業者により、創造的な取り組みを伴うことなく、本発明の実施形態に基づいて得られるすべてのその他の実施形態は、本発明の保護適用範囲に含まれる。
【００１９】
マルチカードアプリケーションのシナリオを実施するため、本発明の実施形態において、元のカードコネクタベースの内のカード設置領域が拡張され、３-ｉｎ-２カードコネクタが提供される。３-ｉｎ-２カードコネクタは、カードコネクタベースおよび制限構造を含む。
【００２０】
カードコネクタベースは、第１の領域および第２の領域を含み、第１のスプリングプレートグループは第１の領域に配置され、第２のスプリングプレートグループおよび第３のスプリングプレートグループは、第２の領域の異なる位置に別個に配置される。
【００２１】
制限構造は、第１の制限部および第２の制限部を含み、第１の制限部は第１の領域内の第１のデータカードを制限するために使用され、第２の制限部は第２の領域内の第２のデータカードまたは第３のデータカードを制限するために使用される。
【００２２】
第１のスプリングプレートグループは、第１のデータカードが第１の領域内に制限されるとき、第１のデータカードのエッジコネクタに電気的に接続するように構成される。第２のスプリングプレートグループは、第２のデータカードが第２の領域内に制限されるとき、第２のデータカードのエッジコネクタに電気的に接続するように構成される。第３のスプリングプレートグループは、第３のデータカードが第２の領域内に制限されるとき、第３のデータカードのエッジコネクタに電気的に接続するように構成される。
【００２３】
好ましくは、第１のデータカードは、マイクロ（ｍｉｃｒｏ）ＳＩＭカード、ナノ（ｎａｎｏ）ＳＩＭカード、または他のタイプのＳＩＭカードでよく、本発明のこの実施形態において制限されることはない。
【００２４】
第２のデータカードは、Ｔ−フラッシュ（Ｔ−ｆｌａｓｈ）ＴＦカード、または他のタイプのデータカードでよく、第３のデータカードは、ナノＳＩＭカード、または他のタイプのデータカードでよく、本発明において制限されることはない。本発明のこの実施形態において、第２のデータカードおよび第３のデータカードは、カードコネクタベースの同じ領域において適合するよう制限されるのみである。
【００２５】
異なる手法でカードコネクタベースの異なる位置に異なるカードを制限して、カードとスプリングプレートグループの間の電気的接続を実施するため、本発明の実施形態において、異なる制限構造を含む２つのタイプの３-ｉｎ-２カードコネクタが図２および図６において提供される。後段では、２つのタイプの３-ｉｎ-２カードコネクタについて別個に説明する。
【００２６】
図２は、本発明の実施形態に従った、３-ｉｎ-２カードコネクタ２を示す構造図である。図２に示されるように、３-ｉｎ-２カードコネクタ２は、カードコネクタベース２０および制限構造２１を含む。
【００２７】
カードコネクタベース２０は、第１の領域２０１および第２の領域２０２を含む。第１のスプリングプレートグループ２０１１は、第１の領域２０１に配置され、第２のスプリングプレートグループ２０２１および第３のスプリングプレートグループ２０２２は、第２の領域２０２の異なる位置に別個に配置される。
【００２８】
制限構造２１の第１の制限部は第１の溝２１０であって、制限構造２１の第２の制限部は第２の溝２１１である。第１の溝２１０は、第１のデータカード２２と形状が一致し、第１のデータカード２２を保持するために使用される。
【００２９】
第２の溝２１１は、第２のデータカード２３および第３のデータカード２４を保持するために使用されるが、同時には保持しない。
【００３０】
好ましくは、第１の溝２１０の底部および第２の溝２１１の底部は空いており、第１のデータカード２２および第３のデータカード２４を保持する制限構造２１がカードコネクタベース２０に挿入されるときに、第１のデータカード２２のエッジコネクタが第１のスプリングプレートグループ２０１１と接触し、第３のデータカード２４のエッジコネクタが第３のスプリングプレートグループ２０２２と接触するようになっている。
【００３１】
第１のデータカード２２および第２のデータカード２３を保持する制限構造２１がカードコネクタベース２０に挿入されるとき、第１のデータカード２２のエッジコネクタが第１のスプリングプレートグループ２０１１と接触し、第２のデータカード２３のエッジコネクタが第２のスプリングプレートグループ２０２１と接触する。
【００３２】
さらに、制限構造２１が、カードコネクタベース２０に挿入されたり、カードコネクタベース２０から取り外されたりできるようにするため、３-ｉｎ-２カードコネクタ２は、接続構造２５（図２に示されていない）をさらに含み、制限構造２１は、接続構造２５を使用することによってカードコネクタベース２０に挿入されるかまたはカードコネクタベース２０から取り外される。
【００３３】
図２に示されるように、接続構造２５は、第１の締め付け部材２５１、第２の締め付け部材２５２、ならびに第２の締め付け部材２５２の２つの端部に個別に接続される接続ロッド２５３およびカードプッシュ装置２５４を含む。
【００３４】
第１の締め付け部材２５１および第２の締め付け部材２５２は、制限構造２１の挿入および取り出し方向（図２において矢印Ａによって示される方向である）と平行であるカードコネクタベース２０の２つの側面に別個に設置される。
【００３５】
第１の締め付け部材２５１および第２の締め付け部材２５２は各々、突起部を含む。
【００３６】
相応して、制限構造２１の２つの対向する側面は各々窪み部を含む。ユーザが制限構造２１を押して、徐々に制限構造２１をカードコネクタベース２０に挿入すると、第１の締め付け部材２５１および第２の締め付け部材２５２の突起部は、制限構造２１の２つの側面の窪み部に別々に入り、制限構造２１がカードコネクタベース２２に固定されるようになる。
【００３７】
接続ロッド２５３は、カードプッシュ装置２５４を制御し、接続ロッド２５３が押された状態にあるとき、制限構造２１をカードコネクタベース２０から取り出すようにカードプッシュ装置２５４を制御する、ように構成される。
【００３８】
相応して、接続ロッド２５３を押すために、３-ｉｎ-２カードコネクタ２は、制限構造２１の端部に固定して接続するハンドル２６をさらに含み、ハンドル２６はピンホール２６１を含む。
【００３９】
ユーザが制限構造２１をカードコネクタベース２０から取り外す必要があるとき、カード取り出しピンのようなツールが、ピンホール２６１を使用することによって接続ロッド２５３を押すために使用されてよく、カードプッシュ装置２５４が飛び出して（ｐｏｐ  ｏｕｔ）、第２の締め付け部材２５２の突起部が制限構造２１の窪み部を離れ、制限構造２１がカードコネクタベース２０から取り出されるようになる。
【００４０】
接続構造２５が図２に示される構造に制限されることはなく、制限構造２１をカードコネクタベース２０に挿入するかまたはカードコネクタベース２０から制限構造２１を取り外すために使用される別のタイプの構造でよく、本発明のこの実施形態において制限されないことに留意すべきである。
【００４１】
さらに、本発明のこの実施形態において、第１のデータカード２２および第２のデータカード２３、または第１のデータカード２２および第３のデータカード２４の相対的設置は、制限されることはなく、これは図３Ａおよび図３Ｂに示される平行設置でよく、または図４Ａおよび図４Ｂに示される相次ぐ直列接続設置でよい。
【００４２】
図３Ａおよび図３Ｂに示される平行設置を実施するため、図２に示されるように、カードコネクタベース２０の第１の領域２０１およびカードコネクタベースの第２の領域２０２は、制限構造の挿入および取り外し方向（図２の矢印Ａによって示される方向である）に関連してカードコネクタベースの表面上で平行に分布される。
【００４３】
図４Ａおよび図４Ｂに示される相次ぐ直列接続設置を実施するため、図５に示されるように、カードコネクタベース２０の第１の領域２０１およびカードコネクタベース２０の第２の領域２０２は、制限構造の挿入および取り外し方向（図５の矢印Ａによって示される方向である）に関連してカードコネクタベースの表面上で相次いで分布される。
【００４４】
さらに、データカード上の電磁信号の干渉を防ぐために、好ましくは、図２に示される３-ｉｎ-２カードコネクタは、カバー２７をさらに含んでよい。
【００４５】
カバー２７は、カードコネクタベース２０上に配置され、カードコネクタベース２０の２つの側面に別個に固定して接続し、カバー２７およびカードコネクタベース２０は、制限構造２１を収容するための空間を形成して、制限構造２１がカードコネクタベース２０に挿入されるかまたはカードコネクタベース２０から取り出されるのに都合よくなっている。
【００４６】
好ましくは、カバー２７は金属ハウジングでよい。
【００４７】
第１のデータカード２２がナノＳＩＭカードであるとき、カードコネクタベースの第１の領域２０１は、（図２には示されていない）第４のデータカードのエッジコネクタに電気的に接続するように構成された第４のスプリングプレートグループ（図２には示されていない）をさらに含んでよいことに留意すべきである。
【００４８】
相応して、制限構造２１の第１の溝２１０は、さらに第４のデータカードと形状が一致してもよく、第１のデータカードまたは第４のデータカードを保持するために使用される。
【００４９】
好ましくは、第４のデータカードは、Ｔ−フラッシュＴＦカードでよい。
【００５０】
上記のことから、図２で提供される３-ｉｎ-２カードコネクタ２において、カード設置領域が拡張されることが理解できる。したがって、第１のデータカードおよび第３のデータカードまたは第１のデータカードおよび第２のデータカードは、１つのカードコネクタに同時に設置できるので、複数のタイプのカードが１つのカードコネクタに同時に設置されて、ユーザアプリケーションシナリオが増大し、ユーザ経験が高められる。加えて、第１の情報カード、第２の情報カード、またはメモリカードは、カードコネクタベース上の制限構造を挿入することによってカードコネクタベースに挿入できるか、または制限構造を取り外すことによってカードコネクタベースから取り外すことができる。
【００５１】
図６は、本発明の実施形態に従った、３-ｉｎ-２カードコネクタ６を示す構造図である。図６に示されるように、３-ｉｎ-２カードコネクタ６は、カードコネクタベース６０および制限構造６１を含む。
【００５２】
カードコネクタベース６０は、第１の領域６０１および第２の領域６０２を含む。第１のスプリングプレートグループ６０１１は第１の領域６０１に配置され、第２のスプリングプレートグループ６０２１および第３のスプリングプレートグループ６０２２は、第２の領域６０２の異なる位置に別個に配置される。
【００５３】
第１のスプリングプレートグループ６０１１は、第１のデータカード６２が第１の領域６０１内に制限されるとき、第１のデータカード６２のエッジコネクタに電気的に接続するように構成される。第２のスプリングプレートグループ６０２１は、第２のデータカード６３が第２の領域６０２内に制限されるとき、第２のデータカード６３のエッジコネクタに電気的に接続するように構成される。第３のスプリングプレートグループ６０２２は、第３のデータカード６４が第２の領域６０２内に制限されるとき、第３のデータカード６４のエッジコネクタに電気的に接続するように構成される。
【００５４】
好ましくは、第１の領域６０１は、第１のデータカード６２と形状が一致し、第１のデータカード６２を保持するために使用される。
【００５５】
第２の領域６０２は、第２のデータカード６３または第３のデータカード６４を保持するために使用される。
【００５６】
制限構造６１に含まれる第１の制限部は、第１のバッフルプレート６１１である。第１のバッフルプレート６１１の２つの対向する端部はそれぞれ、第１の領域６０１の２つの対向する側面に固定して接続し、第１のデータカード６２と同じ厚さの空間が、第１のバッフルプレート６１１と第１の領域６０１との間に形成され、空間は第１領域６０１内の第１のデータカード６２を制限するために使用される。このようにして、ユーザが第１のデータカード６２を第１の領域６０１に直接挿入するとき、第１のバッフルプレート６１１は、第１のデータカード６２を第１の領域６０１に固定する。
【００５７】
制限構造６１に含まれる第２の制限部は、第２のバッフルプレート６１２である。第２のバッフルプレート６１２の２つの対向する端部はそれぞれ、第２の領域６０２の２つの対向する側面に固定して接続し、第２のデータカード６３または第３のデータカード６４と同じ厚さの空間が、第２のバッフルプレート６１２と第２の領域６０２との間に形成され、空間は、第２領域６０２内の第２のデータカード６３または第３のデータカード６４を制限するために使用される。このようにして、ユーザが第２のデータカード６３または第３のデータカード６４を第２の領域６０２に直接挿入するとき、第２のバッフルプレート６１２は、第３のデータカード６３または第２のデータカード６４を第２の領域６０２に固定する。
【００５８】
第１のデータカード６２がナノＳＩＭカードであるとき、カードコネクタベースの第１の領域６０１は、（図６には示されていない）第４のデータカードのエッジコネクタに電気的に接続するように構成された第４のスプリングプレートグループ（図６には示されていない）をさらに含んでよいことに留意すべきである。
【００５９】
第１の領域６０１は、さらに第４のデータカードと形状が一致してよく、第１のデータカードまたは第４のデータカードを保持するために使用される。
【００６０】
好ましくは、第４のデータカードは、ＴフラッシュＴＦカードでよい。
【００６１】
上記のことから、図６で提供される３-ｉｎ-２カードコネクタ６において、カード設置領域が拡張されることを理解することができる。したがって、第１のデータカードおよび第３のデータカードまたは第１のデータカードおよび第２のデータカードは、１つのカードコネクタに同時に設置できるので、複数のタイプのカードが１つのカードコネクタに同時に設置されて、ユーザアプリケーションシナリオが増大し、ユーザ経験が高められる。加えて、第１のデータカード、第２のデータカード、または第３のデータカードは、固定バッフルプレートを含む制限構造を使用することによってカードコネクタベース上で制限することができる。
【００６２】
図７は、本発明の実施形態によるモバイル端末７を示す。図７に示されるように、モバイル端末７は、３-ｉｎ-２カードコネクタ２を含む。
【００６３】
３-ｉｎ-２カードコネクタ２は、実施形態１において説明される３-ｉｎ-２カードコネクタ２と同じであり、詳細については本明細書において再度説明されることはない。
【００６４】
モバイル端末７が、モバイル端末７の内部構造を使用することによって３-ｉｎ-２カードコネクタ２のカバー２７の機能を実施してよいことに留意すべきである。３-ｉｎ-２カードコネクタ２がモバイル端末７に含まれるとき、３-ｉｎ-２カードコネクタ２はカバー２７を含まないことがあり、３-ｉｎ-２カードコネクタ２によって占有される空間をさらに縮小する。
【００６５】
上記のことから、本発明のこの実施形態において、３-ｉｎ-２カードコネクタ２を含むモバイル端末７が提供されることを理解できる。モバイル端末７の３-ｉｎ-２カードコネクタ２において、カード設置領域が拡張される。したがって、第１のデータカードおよび第３のデータカードまたは第１のデータカードおよび第２のデータカードは、１つのカードコネクタに同時に設置できるので、複数のタイプのカードが１つのカードコネクタに同時に設置されて、ユーザアプリケーションシナリオが増大し、ユーザ経験が高められる。加えて、モバイル端末が使用されるとき、カードは、カードコネクタベース上の制限構造を挿入することによってモバイル端末のカードコネクタベースに挿入できるか、または、制限構造を取り外すことによってカードコネクタベースから取り外すことができるので、モバイル端末のバックカバーを外す必要はない。
【００６６】
図８は、本発明の実施形態によるモバイル端末８を示す図である。図８に示されるように、モバイル端末８は、３-ｉｎ-２カードコネクタ６を含む。
【００６７】
３-ｉｎ-２カードコネクタ６は、図６に示される３-ｉｎ-２カードコネクタ６と同じであり、詳細については本明細書において再度説明しない。
【００６８】
上記のことから、本発明のこの実施形態において、３-ｉｎ-２カードコネクタ６を含むモバイル端末８が提供されることが理解できる。モバイル端末の３-ｉｎ-２カードコネクタにおいて、カード設置領域が拡張される。したがって、第１のデータカードおよび第３のデータカードまたは第１のデータカードおよび第２のデータカードは、１つのカードコネクタに同時に設置できるので、複数のタイプのカードが１つのカードコネクタに同時に設置されて、ユーザアプリケーションシナリオが増大し、ユーザ経験が高められる。加えて、モバイル端末が使用されるとき、カードは、固定バッフルプレートを含む制限構造を使用することによってカードコネクタベースに直接挿入できるか、またはカードコネクタベースから取り外すことができるので、モバイル端末のバックカバーを外す必要はない。
【００６９】
前述の説明は、本発明の特定の実施手段に過ぎず、本発明の保護適用範囲を制限することを意図されていない。本発明において開示される技術的範囲内の当業者により容易に考案される任意の変形、置換、または単純な組み合わせは、本発明の保護適用範囲に含まれるものとする。したがって、本発明の保護適用範囲は、特許請求の保護適用範囲に従うものとする。
【図１】
0006662848.tif 000002
【図２】
0006662848.tif 000003
【図３Ａ】
0006662848.tif 000004
【図３Ｂ】
0006662848.tif 000005
【図４Ａ】
0006662848.tif 000006
【図４Ｂ】
0006662848.tif 000007
【図５】
0006662848.tif 000008
【図６】
0006662848.tif 000009
【図７】
0006662848.tif 000010
【図８】
0006662848.tif 000011